(57)【要約】【課題】複数枚の原稿のうちの最終原稿の読み取り後を確実に認識した状態で、報知部にて原稿の取り忘れを報知することができる画像読取装置及びそれを備えた画像形成装置を提供する。【解決手段】複数枚の原稿を１枚ずつ順次搬送する原稿搬送装置を備え、原稿搬送装置により搬送される複数枚の原稿を１枚ずつ順次読み取る画像読取装置は、原稿排出トレイと、前記原稿排出トレイに前記原稿が排出されているか否かを検知する原稿排出検知部と、前記原稿排出トレイに排出されている前記原稿の取り忘れを報知する報知部と、前記複数枚の原稿のうち最終原稿の読み取り後を判定し、かつ、前記原稿が前記原稿排出トレイに排出されていることを前記原稿排出検知部にて検出したときに前記報知部を作動させる制御部とを備える。【選択図】図１１
2020080448.tif 000002
【特許請求の範囲】
【請求項１】
複数枚の原稿を１枚ずつ順次搬送する原稿搬送装置を備え、前記原稿搬送装置により搬送される前記複数枚の原稿を１枚ずつ順次読み取る画像読取装置であって、
原稿排出トレイと、
前記原稿排出トレイに前記原稿が排出されているか否かを検知する原稿排出検知部と、
前記原稿排出トレイに排出されている前記原稿の取り忘れを報知する報知部と、
前記複数枚の原稿のうち最終原稿の読み取り後を判定し、かつ、前記原稿が前記原稿排出トレイに排出されていることを前記原稿排出検知部にて検出したときに前記報知部を作動させる制御部と
を備えることを特徴とする画像読取装置。
【請求項２】
請求項１に記載の画像読取装置であって、
１つのジョブにおいて前記複数枚の原稿を複数回に分けて読み取る大量原稿読取機能をさらに備え、
前記制御部は、前記大量原稿読取機能を実行している場合において、前記複数回の読み取り動作のうち最終回の読み取り動作で最後に読み取った最終原稿の読み取り後を判定することを特徴とする画像読取装置。
【請求項３】
請求項１又は請求項２に記載の画像読取装置であって、
前記制御部は、前記複数枚の原稿のうち最終原稿の読み取り後を判定することを特徴とする画像読取装置。
【請求項４】
請求項１から請求項３までの何れか１つに記載の画像読取装置であって、
表示部と、
前記原稿を読み取って得られた画像データに対応する画像をジョブの実行に先立って前記表示部に表示するプレビュー機能と
をさらに備え、
前記制御部は、前記プレビュー機能を実行している場合において、前記ジョブの実行キーをオンしたときに前記報知部を作動させることを特徴とする画像読取装置。
【請求項５】
請求項１から請求項４までの何れか１つに記載の画像読取装置であって、
前記制御部は、前記原稿の読み取り中にキャンセルキーをオンしたときに前記報知部を作動させることを特徴とする画像読取装置。
【請求項６】
請求項１からから請求項５までの何れか１つに記載の画像読取装置であって、
前記制御部は、ジョブを終了した後、前記報知部を作動させているときに、次のジョブが開始されると、前記報知部の作動を終了することを特徴とする画像読取装置。
【請求項７】
請求項１からから請求項６までの何れか１つに記載の画像読取装置であって、
前記原稿を載置する原稿載置台と、
前記原稿載置台上に載置された原稿を読み取る載置原稿読取機能と
をさらに備え、
前記制御部は、ジョブを終了した後、前記報知部を作動させているときに、前記載置原稿読取機能を実行すると、前記報知部の作動を維持することを特徴とする画像読取装置。
【請求項８】
請求項１から請求項７までの何れか１つに記載の画像読取装置を備えたことを特徴とする画像形成装置。
【発明の詳細な説明】
【技術分野】
【０００１】
本発明は、画像読取装置及びそれを備えた複写機、複合機、プリンタ装置及びファクシミリ装置等の画像形成装置に関する。
【背景技術】
【０００２】
複数枚の原稿を１枚ずつ順次搬送する原稿搬送装置を備えた画像読取装置は、原稿搬送装置により搬送される複数枚の原稿を１枚ずつ順次読み取る。かかる画像読取装置では、従来、複数枚の原稿のうち最終原稿を読み取った否かが認識されていなかったために、次のような不都合があった。
【０００３】
すなわち、従来の画像読取装置として、例えば、原稿排出トレイと、原稿排出トレイに原稿が排出されているか否かを検知する原稿排出検知部と、原稿排出トレイに排出されている原稿の取り忘れを報知する報知部（例えばＬＥＤ等の発光素子や表示パネル）とを備えたものがある。
【０００４】
このような画像読取装置では、画像形成動作終了後、原稿排出検知部で原稿を検知した場合（原稿排出トレイに原稿が残っている場合）に報知部で報知（例えば発光素子の発光や表示パネルの表示）を行っていた。また、原稿排出検知部で原稿を検知しなくなると（原稿排出トレイの原稿が取り除かれると）に報知部での報知を解除（例えば発光素子の発光や表示パネルの表示を解除）していた（例えば特許文献１参照）。
【０００５】
ところが、従来の画像読取装置では、報知部での報知に関して、ジョブの実行後すぐ（原稿１枚目）に報知させるため、実際に原稿を原稿排出トレイから取り除く（ジョブ完了）まで報知したままの状態になり変化がないことからユーザーが気付きにくいという不都合があった。
【先行技術文献】
【特許文献】
【０００６】
【特許文献１】特開２００１−３１２１０６号公報
【特許文献２】特開２０１２−２３１３０５号公報
【発明の概要】
【発明が解決しようとする課題】
【０００７】
この点に関し、特許文献２には、読み取る前の原稿を載置する原稿載置トレイに載置された複数枚の原稿が搬送されて読取部に搬送されて原稿載置トレイに原稿がなくなったことを検知した場合に報知部での報知（ランプを発光）することが開示されている。
【０００８】
しかしながら、複数枚の原稿のうちの最終原稿の読み取り後が認識されていないため、最終原稿の読み取り後を確実に認識した状態で、報知部にて原稿の取り忘れを報知することができない。
【０００９】
そこで、本発明は、複数枚の原稿のうちの最終原稿の読み取り後を確実に認識した状態で、報知部にて原稿の取り忘れを報知することができる画像読取装置及びそれを備えた画像形成装置を提供することを目的とする。
【課題を解決するための手段】
【００１０】
前記課題を解決するために、本発明は、次の画像読取装置及び画像形成装置を提供する。
【００１１】
（１）画像読取装置
本発明に係る画像読取装置は、複数枚の原稿を１枚ずつ順次搬送する原稿搬送装置を備え、前記原稿搬送装置により搬送される前記複数枚の原稿を１枚ずつ順次読み取る画像読取装置であって、原稿排出トレイと、前記原稿排出トレイに前記原稿が排出されているか否かを検知する原稿排出検知部と、前記原稿排出トレイに排出されている前記原稿の取り忘れを報知する報知部と、前記複数枚の原稿のうち最終原稿の読み取り後を判定し、かつ、前記原稿が前記原稿排出トレイに排出されていることを前記原稿排出検知部にて検出したときに前記報知部を作動させる制御部とを備えることを特徴とする。
【００１２】
（２）画像形成装置
本発明に係る画像形成装置は、前記本発明に係る画像読取装置を備えたことを特徴とする。
【発明の効果】
【００１３】
本発明によると、複数枚の原稿のうちの最終原稿の読み取り後を確実に認識した状態で、報知部にて原稿の取り忘れを報知することが可能となる。
【図面の簡単な説明】
【００１４】
【図１】本発明の実施の形態に係る画像形成装置の概略構成を透視的に示す正面図である。
【図２】本実施の形態に係る画像形成装置の一例の外観を示す斜視図である。
【図３】図１に示す画像形成装置における操作装置を示す平面図である。
【図４】図１に示す画像形成装置における制御系のシステムブロック図である。
【図５】図１に示す原稿搬送装置を示す斜視図である。
【図６】図１に示す原稿搬送装置の平面図である。
【図７】図１に示す原稿搬送装置の正面図である。
【図８】図１に示す原稿搬送装置の側面図である。
【図９】光源収納部近傍を示す拡大底面図である。
【図１０】原稿排出トレイに対する光源の位置を模式的に示す模式側面図である。
【図１１】原稿の取り忘れの報知の制御動作のメインルーチンを示すフローチャートである。
【図１２】通常モードのサブルーチンを示すフローチャートである。
【図１３】プレビューモードのサブルーチンを示すフローチャートである。
【図１４】大量原稿読取モードのサブルーチンを示すフローチャートである。
【図１５】次ジョブ動作のサブルーチンを示すフローチャートである。
【発明を実施するための形態】
【００１５】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１６】
図１は、本発明の実施の形態に係る画像形成装置１００の概略構成を透視的に示す正面図である。図２は、本実施の形態に係る画像形成装置１００の一例の外観を示す斜視図である。図３は、図１に示す画像形成装置１００における操作装置１２０を示す平面図である。また、図４は、図１に示す画像形成装置１００における制御系のシステムブロック図である。なお、図１及び図２において、符号Ｘは、横方向（左右方向）を、符号Ｙは、幅方向（前後方向）を、符号Ｚは、高さ方向（上下方向）を示している。
【００１７】
画像形成装置１００は、コピー機能、スキャナ機能、ファクシミリ機能及びプリンタ機能を有する複合機であり、画像読取装置１０２によって読み取られた原稿の画像を外部に送信する。また、画像形成装置１００は、画像読取装置１０２にて読み取った原稿の画像又は外部から受信した画像をカラー若しくは単色で用紙（シート）に画像形成する。
【００１８】
画像読取部１３０の上側には、画像読取部１３０に対して開閉自在に支持された原稿搬送装置１６０〔原稿自動送り装置（ＡＤＦ）〕が設けられている。画像読取装置１０２は、原稿搬送装置１６０を備えている。原稿搬送装置１６０は、複数枚の原稿を１枚ずつ順に搬送する。画像読取装置１０２は、原稿搬送装置１６０により複数枚の原稿のうち１枚ずつ搬送される原稿を読み取る。画像読取装置１０２は、原稿を載置する原稿載置台１３０ａと、原稿載置台１３０ａ上に載置された原稿を読み取る載置原稿読取機能とを備えている。画像形成装置１００は、原稿搬送装置１６０が開かれると、画像読取部１３０の上方の原稿載置台１３０ａが開放され、原稿を手置きで置くことができるようになっている。また、原稿搬送装置１６０は、原稿を載置する原稿載置トレイ１６１と、外部に排出された原稿を積載する原稿排出トレイ１６２とを備えている。画像読取装置１０２は、原稿搬送装置１６０にて搬送された原稿を読み取る搬送原稿読取機能を備えている。原稿搬送装置１６０は、原稿載置トレイ１６１に載置された原稿を画像読取部１３０における原稿読取部１３０ｂ上に搬送する。画像読取部１３０は、走査光学系１３０ｃを走査して原稿載置台１３０ａに載置された原稿を読み取るか又は原稿搬送装置１６０にて搬送される原稿を読み取って画像データを生成する。
【００１９】
画像形成装置１００は、光走査装置１、現像装置２、感光体ドラム３、ドラムクリーニング装置４、帯電器５、中間転写ベルト７、定着装置１２、用紙搬送路Ｓ、給紙カセット１８、胴内排出トレイ１４１を備えている。
【００２０】
画像形成装置１００では、ブラック（Ｋ）、シアン（Ｃ）、マゼンタ（Ｍ）、イエロー（Ｙ）の各色を用いたカラー画像、又は、単色（例えば、ブラック）を用いたモノクロ画像に応じた画像データが扱われる。画像形成装置１００の画像転写部５０には、４種類のトナー像を形成するための現像装置２、感光体ドラム３、ドラムクリーニング装置４及び帯電器５が４つずつ設けられ、それぞれがブラック、シアン、マゼンタ及びイエローに対応付けられ、４つの画像ステーションＰａ、Ｐｂ、Ｐｃ、Ｐｄが構成されている。
【００２１】
光走査装置１は、感光体ドラム３の表面を露光して静電潜像を形成する。現像装置２は、感光体ドラム３の表面の静電潜像を現像して、感光体ドラム３の表面にトナー像を形成する。ドラムクリーニング装置４は、感光体ドラム３の表面の残留トナーを除去及び回収する。帯電器５は、感光体ドラム３の表面を所定の電位に均一に帯電させる。上述した一連の動作によって、各感光体ドラム３の表面に各色のトナー像が形成される。
【００２２】
感光体ドラム３の上側には、中間転写ベルト７を介して中間転写ローラ６が配置されている。中間転写ベルト７は、転写駆動ローラ７ａ及び転写従動ローラ７ｂに張架され、矢符Ｃの方向へ周回移動する。画像形成装置１００では、ベルトクリーニング装置９によって残留トナーを除去及び回収し、各感光体ドラム３の表面に形成された各色のトナー像を順次転写して重ね合わせて、中間転写ベルト７の表面にカラーのトナー像を形成する。
【００２３】
２次転写部１１の転写ローラ１１ａは、中間転写ベルト７との間にニップ域が形成されており、用紙搬送路Ｓを通じて搬送されて来た用紙をニップ域に挟み込んで搬送する。用紙は、ニップ域を通過する際に、中間転写ベルト７の表面のトナー像が転写されて定着装置１２に搬送される。
【００２４】
定着装置１２は、用紙を挟んで回転する定着ローラ３１及び加圧ローラ３２を備えている。定着装置１２は、定着ローラ３１及び加圧ローラ３２の間にトナー像が転写された用紙を挟み込んで加熱及び加圧し、トナー像を用紙に定着させる。
【００２５】
給紙カセット１８は、画像形成に使用する用紙を蓄積しておくためのカセットであり、光走査装置１の下側に設けられている。用紙は、用紙ピックアップローラ１６によって給紙カセット１８から引き出されて、用紙搬送路Ｓに搬送される。用紙搬送路Ｓに搬送された用紙は、２次転写部１１や定着装置１２を経由し、排出ローラ１７に搬送され、胴内排出トレイ１４１に排出される。用紙搬送路Ｓには、搬送ローラ１３、レジストローラ１４及び排出ローラ１７が配置されている。搬送ローラ１３は、用紙の搬送を促す。レジストローラ１４は、用紙を一旦停止させて、用紙の先端を揃える。レジストローラ１４は、一旦停止した用紙を中間転写ベルト７上のカラートナー像とタイミングに合わせて搬送する。中間転写ベルト７上のカラートナー像は、中間転写ベルト７と転写ローラ１１ａとの間のニップ域で用紙に転写される。
【００２６】
なお、図１では、給紙カセット１８が１つとされているがこれに限定されず、複数の給紙カセット１８を設けた構成とし、それぞれに異なる種類の用紙を積載してもよい。
【００２７】
また、画像形成装置１００は、用紙の表面だけでなく、裏面に画像形成を行う場合は、用紙を排出ローラ１７から用紙反転経路Ｓｒに逆方向に搬送する。画像形成装置１００は、逆方向に搬送された用紙の表裏を反転し、レジストローラ１４に再度導く。また、画像形成装置１００は、レジストローラ１４に導かれた用紙を表面と同様にして裏面に画像形成し、胴内排出トレイ１４１に搬出する。
【００２８】
画像形成装置１００は、画像形成部１１０と、操作装置１２０（操作パネル）と、画像読取部１３０と、排出部１４０と、支持部１５０と、原稿搬送装置１６０と、制御部１７０とを備えている。排出部１４０は、画像形成部１１０及び画像読取部１３０の間に用紙を排出する。支持部１５０は、画像形成部１１０及び画像読取部１３０の間に空間ＳＰを設けるように画像読取部１３０を支持する。
【００２９】
画像形成装置本体１０１は、略直方体形状とされている。画像形成装置本体１０１の上面には、画像読取部１３０が設けられ、画像読取部１３０上には、原稿搬送装置１６０が取り付けられている。また、操作装置１２０は、画像読取部１３０に隣接しており、画像形成装置本体１０１の上面に設けられた画像読取部１３０の前面側に設けられている。ここで、前面側は、操作者が操作装置１２０を操作する操作側である。
操作装置１２０は、画像読取部１３０の横方向Ｘにおける端部（具体的には右側端部）に設けられている。操作装置１２０は、画像読取部１３０に対して高さ方向Ｚに揺動（チルト）する構成とされている。
【００３０】
（各種キー）
操作装置１２０には、操作者に操作される各種キー１２１と表示部１２２（液晶表示装置）とが設けられている。各種キー１２１及び表示部１２２は、制御部１７０に電気的に接続されている。各種キー１２１（ハードウェアキー）は、電源キー１２１ａ及び節電キー１２１ｂを含んでいる。電源キー１２１ａは、機械的なメイン電源スイッチ（図示省略）がオンされた状態で画像形成装置１００への電力供給をオンオフするためのキーである。詳しくは、電源キー１２１ａは、電気的なサブ電源スイッチであり、オフされているときには、特定の構成要素、例えば、電話回線によるファクシミリやインターネットファックシミリ機能以外は機能しない。節電キー１２１ｂは、画像形成装置１００が待機状態のときにオンオフするためのキーであり、オンされたときには、画像形成装置１００の待機中の消費電力を抑える省エネルギーモードに入り、オフされたときには、省エネルギーモードが解除される。
【００３１】
また、表示部１２２の表示画面上には、ジョブ（複写ジョブ、スキャンジョブ、ファクシミリジョブ）を実行するためのジョブ実行キー１２２ａ（ソフトウェアキー）（図３及び図４参照）が入力操作可能に表示される。ここで、「ジョブ」とは、ユーザーが目的の画像形成操作を行って画像形成動作が終了するまでの一連の動作を言う。また、表示部１２２の表示画面上には、原稿を読み取り中に原稿の読み取りを中止するためのキャンセルキー１２２ｂ（図４参照）や、大量原稿読取機能で複数回の読み取り動作のうち最終回の読み取りを指示するための原稿読取終了キー１２２ｃ（図４参照）が表示されることもある。
【００３２】
なお、図３に示す操作装置１２０において、符号１２１ｃは、ハードウェアキーであって、ホーム画面（初期画面）に移行するホーム画面キーである。符号１２２ｄ〜１２２ｉは、ソフトウェアキーであって、それぞれ、カラーモードを選択するカラーモードキー、原稿サイズを選択する原稿サイズキー、用紙サイズを選択する用紙選択キー、両面コピーを選択する両面コピーキー、倍率を選択する倍率選択キー、コピー濃度を選択するコピー濃度キーである。
【００３３】
（操作部）
画像形成装置１００において、画像読取部１３０の前面、支持部１５０の前面、操作装置１２０で操作部１０３を構成している。
【００３４】
（制御部）
制御部１７０は、ＣＰＵ等のマイクロコンピュータからなる処理部１７１と、ＲＯＭ等の不揮発性メモリー、ＲＡＭ等の揮発性メモリーを含む記憶部１７２とを有している。制御部１７０は、処理部１７１が記憶部１７２のＲＯＭに予め格納された制御プログラムを記憶部１７２のＲＡＭ上にロードして実行することにより、各種構成要素の作動制御を行う。
【００３５】
画像形成装置１００は、報知部（この例では光源１８０）をさらに備えている。光源１８０は、制御部１７０の出力系に電気的に接続されており、制御部１７０からの作動信号により、点灯又は消灯することができる。
【００３６】
＜原稿取り忘れの報知＞
制御部１７０は、複数枚の原稿のうちの最終原稿の読み取り後を判定する判定部１７１ａを備える。
【００３７】
本実施の形態によれば、判定部１７１ａにより複数枚の原稿のうちの最終原稿の読み取り後（原稿の読み取りの完了）を判定するので、最終原稿の読み取り後を確実に認識した状態で、報知部（光源１８０）にて原稿排出トレイに排出されている原稿の取り忘れをユーザーに報知することができる。
【００３８】
図５は、図１に示す原稿搬送装置１６０を示す斜視図である。図６は、図１に示す原稿搬送装置１６０の平面図である。図７は、図１に示す原稿搬送装置１６０の正面図である。図８は、図１に示す原稿搬送装置１６０の側面図である。図９は、光源収納部１６８近傍を示す拡大底面図である。また、図１０は、原稿排出トレイ１６２に対する光源１８０の位置を模式的に示す模式側面図である。
【００３９】
原稿排出トレイ１６２は、原稿排出口１６３から排出方向Ｈに沿って排出された原稿を積載する。原稿搬送装置１６０では、正面に沿った横方向Ｘにおいて、一方の端部側（図６では、左側）に搬送部１６４が設けられ、他方の端部側（図６では、右側）に原稿載置トレイ１６１及び原稿排出トレイ１６２が設けられている。原稿載置トレイ１６１と原稿排出トレイ１６２とは、高さ方向Ｚで並べて設けられ、原稿載置トレイ１６１が上段に配置され、原稿排出トレイ１６２が下段に配置されている。つまり、原稿載置トレイ１６１は、搬送部１６４の上部に設けられた原稿挿入口１６５から他方の端部側へ延伸して設けられている。原稿排出トレイ１６２は、搬送部１６４の下部に設けられた原稿排出口１６３から他方の端部側へ延伸して設けられている。従って、原稿載置トレイ１６１から原稿が挿入される方向（図６では、左向き）は、原稿排出トレイ１６２に対する原稿の排出方向Ｈ（図６では、右向き）に対して、向きが逆になっている。
【００４０】
原稿搬送装置１６０では、原稿載置トレイ１６１に載置された原稿を、原稿挿入口１６５を介して搬送部１６４の内部に取り入れる。そして、搬送部１６４の内部において、画像読取装置１０２で読み取られた原稿は、原稿排出口１６３に設けられた原稿排出ローラ１６６を介して、搬送部１６４から排出されて原稿排出トレイ１６２に積載される。この例では、排出方向Ｈと直交する方向は、幅方向Ｙ（図６では、上下方向）としている。
【００４１】
原稿載置トレイ１６１は、原稿挿入口１６５と反対側の端部（原稿載置トレイ延伸端１６１ａ）よりも、原稿挿入口１６５に面する側の端部の方が、低くなるように傾斜している。すなわち、原稿載置トレイ１６１に原稿を載置した際、原稿は、自重によって、原稿挿入口１６５の側へ滑って移動するように傾斜が設けられている。
【００４２】
原稿排出トレイ１６２は、原稿載置トレイ１６１と略同じように、原稿排出口１６３と反対側の端部（原稿排出トレイ延伸端１６２ａ）の方が、高くなるように傾斜している。原稿排出口１６３から原稿を排出する際、原稿は、原稿排出ローラ１６６によって、排出方向Ｈへ少し勢いが付けられる。この勢いによって原稿が原稿排出トレイ１６２から落下しないように、原稿排出口１６３の側へ滑って移動させることで、原稿排出トレイ１６２上の原稿が整頓される。なお、原稿載置トレイ１６１と原稿排出トレイ１６２とで傾斜の角度が同じ又は略同じであってもよいし、違っていてもよい。
【００４３】
また、原稿載置トレイ１６１には、排出方向Ｈにおける下流側（図６では、右端）であって、幅方向Ｙで原稿搬送装置１６０の手前側（図６では、下方）の端部に、切欠部１６７が設けられている。原稿載置トレイ１６１と原稿排出トレイ１６２とは、平面視した状態（例えば、図６）で重なるように配置されているが、切欠部１６７に対応する部分では、原稿排出トレイ１６２が露出している。なお、以下では説明のため、幅方向Ｙにおいて、原稿搬送装置１６０（画像形成装置１００）の正面の側を手前側と呼び、原稿搬送装置１６０の背面の側を奥側（図６では、上方）と呼ぶことがある。
【００４４】
図６に示すように、原稿載置トレイ１６１は、平面視において、略矩形状に形成されており、切欠部１６７は、原稿載置トレイ１６１の角に対応する部分に設けられている。切欠部１６７を設けた部分における原稿載置トレイ１６１の外縁部について、比較的、横方向Ｘに沿った側辺を切欠第１側辺１６７ａと呼び、比較的、幅方向Ｙに沿った側辺を切欠第２側辺１６７ｂとを呼ぶ。つまり、切欠第１側辺１６７ａは、原稿載置トレイ１６１自体の横方向Ｘに沿った側辺（図６では、下辺）よりも奥側（図６では、上方）に位置し、切欠第２側辺１６７ｂは、原稿載置トレイ１６１自体の幅方向Ｙに沿った側辺（図６では、右辺）よりも上流側（図６では、左方）に位置している。図６では、切欠第１側辺１６７ａ及び切欠第２側辺１６７ｂに基づいて、排出方向Ｈで切欠部１６７が設けられている範囲（切欠部領域ＫＲ）を示している。
【００４５】
画像形成装置１００では、通常、ユーザーが正面の側に立って操作することを想定しており、正面の側に操作装置１２０（操作パネル）などが設けられている。また、原稿や用紙を回収する際も、正面の側から手を差し入れ易いように設計されている。
【００４６】
原稿載置トレイ１６１の下面であって、切欠部１６７の近傍には、光源１８０を収納する光源収納部１６８が設けられている。光源収納部１６８は、切欠部１６７に沿った原稿載置トレイ１６１の外縁部であって、切欠部１６７よりも少し奥側に設けられている。光源収納部１６８近傍の構造については、図９を参照しながら説明する。
【００４７】
原稿排出トレイ１６２は、原稿排出トレイ延伸端１６２ａの側が高くなるように傾斜しており、この傾斜に基づいて傾斜面が設定されている。そして、原稿排出トレイ１６２では、傾斜面に対して、部分的に高さ方向Ｚでの位置が異なるように、凸部１６２ｂ及び凹部１６２ｃが設けられている。なお、凸部１６２ｂ及び凹部１６２ｃの形状については、図１０を参照して、詳細に説明する。
【００４８】
また、原稿排出トレイ１６２は、外縁に沿って設けられた立ち壁１６２ｄを有する。立ち壁１６２ｄは、頂面の高さが一致しており、横方向Ｘ及び幅方向Ｙに平行な面となっている。つまり、原稿排出トレイ１６２のうち、立ち壁１６２ｄの部分では、傾斜しておらず、水平になっている。
【００４９】
図９は、原稿載置トレイ１６１を下方から見た状態であって、切欠第１側辺１６７ａに沿う位置に設けられた光源収納部１６８近傍を拡大して示している。原稿載置トレイ１６１の内部であって、光源収納部１６８に面する部分には、光源１８０が設けられている。また、光源収納部１６８には、原稿載置トレイ１６１の下面側の筐体を開口する開口部１６９が設けられており、光源１８０の一部が開口部１６９を介して露出している。光源１８０は、例えば、ＬＥＤなどの発光素子を備えており、光源１８０から照射された光が開口部１６９から出射する。原稿載置トレイ１６１の切欠部１６７は、ユーザーが、原稿載置トレイ１６１と原稿排出トレイ１６２との間に手を差し入れやすくするために設けられており、原稿を取り出す際に注目されやすい。そこで、その近傍に光源１８０を配置することで、ユーザーの視界に入りやすくなり、光の照射が容易にわかる。
【００５０】
図１０は、原稿搬送装置１６０について、原稿排出トレイ延伸端１６２ａが設けられている側の側面から見た状態を模式的に示している。なお、原稿排出トレイ１６２だけは、凹凸を強調するため、光源１８０に面する部分での断面を示し、ハッチングしている。また、図１０では、図面の見易さを考慮して、原稿排出トレイ１６２上に積載された１枚の原稿Ｇを示しているが、これに限定されず、原稿排出トレイ１６２上には、複数の原稿Ｇが積載されてもよい。さらに、図１０に示す原稿Ｇは、原稿搬送装置１６０で搬送される原稿Ｇのうち、幅方向Ｙの長さが最大サイズの原稿Ｇを示している。
【００５１】
原稿排出トレイ１６２の幅方向Ｙでの略中央には、周囲よりも上方へ突出した凸部１６２ｂが設けられており、凸部１６２ｂの手前側（図１０では、左方）に隣接して凹部１６２ｃが設けられている。そして、原稿搬送装置１６０の外縁であって、手前側の端部には、立ち壁１６２ｄが設けられている。つまり、立ち壁１６２ｄと凸部１６２ｂとの間の部分に、凹部１６２ｃが存在している。図１０に示す断面では、高さ方向Ｚにおいて、凸部１６２ｂが最も高く、立ち壁１６２ｄが二番目に高く、凹部１６２ｃが最も低くなっている。
【００５２】
本実施の形態において、凸部１６２ｂは、原稿排出トレイ１６２のうち、幅方向Ｙで広い部分に設けられており、側面視では、台形状に隆起している。図１０に示す断面において、凸部１６２ｂは、頂上の高さが略揃っており、幅方向Ｙの端部に急峻な段差が設けられている。互いに隣接する凸部１６２ｂと凹部１６２ｃとの境界では、両者の高低差が合わさって、さらに大きな段差となっており、高さ方向Ｚに立設した壁部１６２ｅが設けられている。なお、壁部１６２ｅは、凸部１６２ｂの頂面に対して、境界を明確にする傾斜となっていればよく、完全な垂直でなくてもよい。また、上端や下端においては、原稿Ｇの引っ掛かりを防ぐために、丸みを帯びた形状となっていてもよい。
【００５３】
凸部１６２ｂは、幅方向Ｙにおいて、原稿排出トレイ１６２の略中央よりも少し奥側に位置しており、幅方向Ｙでの長さが、最大原稿サイズよりも短い。原稿排出トレイ１６２上の原稿Ｇは、幅方向Ｙにおいて、大凡の部分が凸部１６２ｂと重なっており、凸部１６２ｂの外側に端部が少しはみ出している。原稿Ｇのうち、凸部１６２ｂより手前側にはみ出した部分は、壁部１６２ｅ及び凹部１６２ｃの上方に位置しており、凸部１６２ｂとの高低差によって、下方へ垂れ下がり、原稿Ｇが山状に湾曲している。
【００５４】
切欠部１６７において、切欠第１側辺１６７ａは、幅方向Ｙで壁部１６２ｅと略同じ位置に設けられている。光源１８０は、切欠第１側辺１６７ａの近傍に設けられ、原稿排出トレイ１６２（下方）に向かって光を照らす。図１０の一点鎖線は、光源１８０からの光が照射される範囲（照射範囲ＳＲ）を示しており、幅方向Ｙにおいて、凸部１６２ｂと凹部１６２ｃとの境界付近が、照射範囲ＳＲに含まれている。なお、排出方向Ｈに対する照射範囲ＳＲは、適宜設定すればよく、積載された原稿Ｇと原稿排出トレイ１６２との両方を含むように設定されていることが好ましい。
【００５５】
（原稿の取り忘れの報知に関する制御例）
次に、原稿の取り忘れの報知について説明する。原稿の取り忘れを報知する報知部としては、原稿の取り忘れを光源の点灯、アラーム音、音声のうち何れか１つ又は少なくとも２つの組み合わせにより行う態様を例示できる。この例では、原稿Ｇの取り忘れの報知を光源１８０の点灯により行う。
【００５６】
ところで、原稿の取り忘れを報知する際に、ユーザーが原稿を取り除くまで光源１８０を点灯させると、ユーザーが原稿を取り除かない限り光源１８０が点灯することになり、従って、過度な警報となってしまう。この点、本実施の形態では、制御部１７０は、原稿の取り忘れを報知するときには、光源１８０を点灯した時点から所定時間経過後に消灯する。例えば、制御部１７０は、所定の点灯パターンで点灯する。所定の点灯パターンとしては、所定時間（例えば１２秒間）内で複数回（例えば３回）の点滅（例えば２秒間の点灯、２秒間の消灯）を繰り返す点灯パターンを例示できる。こうすることで、ユーザーが原稿Ｇを取り除かない限り光源１８０が点灯するといった過度な警報を回避することができる。
【００５７】
画像読取装置１０２は、原稿載置検知部１９１と、原稿排出検知部１９２とをさらに備えている。原稿載置検知部１９１は、原稿載置トレイ１６１に載置される原稿の有無を検知する。原稿排出検知部１９２は、原稿排出トレイ１６２に原稿が排出されているか否か、すなわち、原稿排出トレイ１６２に排出される原稿の有無を検知する。原稿載置検知部１９１及び原稿排出検知部１９２は、制御部１７０の入力系に電気的に接続されている。原稿載置検知部１９１は、原稿載置トレイ１６１に原稿が載置されたか否かを示す信号を制御部１７０に送信する。これにより、制御部１７０は、原稿載置トレイ１６１に原稿が載置されたか否かを認識（検出）することができる。また、原稿排出検知部１９２は、原稿排出トレイ１６２に原稿が排出されたか否かを示す信号を制御部１７０に送信する。これにより、制御部１７０は、原稿排出トレイ１６２に原稿が排出されたか否かを認識（検出）することができる。原稿載置検知部１９１及び原稿排出検知部１９２は、従来公知のものを用いることができ、代表的には、原稿からの光を検知する光反射型センサや、原稿の有無によりオンオフするアクチュエータを備えた光透過型センサを挙げることができる。
【００５８】
ところで、画像読取装置１０２は、原稿載置トレイ１６１に原稿を載置する最大枚数（所定の許容枚数）が予め決められており、その最大枚数を超えて載置することができず、大量原稿読取機能がないと、１つのジョブにおいて最大枚数を超えて原稿を読み取ることができない。この点、画像読取装置１０２は、大量原稿読取機能をさらに備えている。大量原稿読取機能は、１つのジョブにおいて複数枚の原稿を複数回に分けて読み取る機能である。これにより、１つのジョブにおいて最大枚数を超えても原稿を読み取ることができる。また、画像読取装置１０２は、表示部１２２と、プレビュー機能とをさらに備えている。プレビュー機能は、原稿を読み取って得られた画像データに対応する画像（サムネイル画像）をジョブの実行に先立って表示部１２２に表示する機能である。制御部１７０は、操作部１０３にてユーザーの操作を選択的に受け付けることにより、大量原稿読取機能及びプレビュー機能を実行する。
【００５９】
図１１から図１５は、原稿の取り忘れの報知の制御動作の一例を示すフローチャートである。なお、以下のフローチャートにおいて、制御部１７０は、原稿の読み取る際には、“原稿の読み取りを中止する場合には「キャンセルキー」を押下して下さい”といったメッセージを表示部１２２に表示すると共に、キャンセルキー１２２ｂを入力操作可能に表示部１２２に表示する。
【００６０】
＜メインルーチン＞
図１１は、原稿の取り忘れの報知の制御動作のメインルーチンを示すフローチャートである。図１１に示すように、メインルーチンでは、先ず、制御部１７０は、原稿載置検知部１９１にて原稿載置トレイ１６１に原稿が載置されているか否かを判断し（Ｓ１）、原稿が載置されていない場合には（Ｓ１：Ｎｏ）、載置原稿読取機能を行うまで待機する（Ｓ２：Ｎｏ）。制御部１７０は、ユーザーにより原稿載置台１３０ａに原稿が載置されてジョブ実行キー１２２ａ（所謂スタートキー）が押下（オン）されると、載置原稿読取機能を実行し（Ｓ３）、Ｓ１に移行する。
【００６１】
一方、制御部１７０は、原稿載置トレイ１６１に原稿が載置されている場合には（Ｓ１：Ｙｅｓ）、大量原稿読取機能が有効であるか否かを判断し（Ｓ４）、大量原稿読取機能が無効である場合には（Ｓ４：Ｎｏ）、プレビュー機能が有効であるか否かを判断する（Ｓ５）。次に、制御部１７０は、プレビュー機能が無効である場合には（Ｓ５：Ｎｏ）、通常モードのサブルーチンを実行し（Ｓ１０）、Ｓ６へ移行する。また、制御部１７０は、プレビュー機能が有効である場合には（Ｓ５：Ｙｅｓ）、プレビューモードのサブルーチンを実行し（Ｓ２０）、Ｓ６へ移行する。一方、制御部１７０は、大量原稿読取機能が有効である場合には（Ｓ４：Ｙｅｓ）、大量原稿読取モードのサブルーチンの実行し（Ｓ３０）、Ｓ６へ移行する。
【００６２】
次に、制御部１７０は、原稿排出トレイ１６２に原稿が排出されて原稿排出検知部１９２がオンしているか否かを判断し（Ｓ６）、原稿排出検知部１９２がオンしている場合には（Ｓ６：Ｙｅｓ）、光源１８０を所定の点灯パターンで点灯させ（Ｓ７）、次ジョブ動作のサブルーチンを実行し（Ｓ４０）、処理を終了する。一方、制御部１７０は、原稿排出検知部１９２がオフしている場合には（Ｓ６：Ｎｏ）、光源１８０を所定の点灯パターンで点灯させずに、次ジョブ動作のサブルーチンを実行し（Ｓ４０）、処理を終了する。
【００６３】
＜通常モードのサブルーチン＞
図１２は、通常モードのサブルーチンを示すフローチャートである。図１２に示すように、通常モードのサブルーチンでは、先ず、制御部１７０は、原稿の読み取りを開始するが（Ｓ１１）、このとき、ユーザーによりキャンセルキー１２２ｂが押下（オン）されずに（Ｓ１２：Ｎｏ）、原稿の読み取りが完了するまで（Ｓ１３：Ｎｏ）、Ｓ１１〜Ｓ１３の処理を行い、キャンセルキー１２２ｂが押下されると（Ｓ１２：Ｙｅｓ）、原稿の読み取りを中止し（Ｓ１４）、図１１に示すＳ６に戻る。一方、制御部１７０は、原稿の読み取りが完了すると（Ｓ１３：Ｙｅｓ）、ジョブを開始するためのジョブ開始信号をオンし（Ｓ１５）、図１１に示すＳ６に戻る。
【００６４】
＜プレビューモードのサブルーチン＞
図１３は、プレビューモードのサブルーチンを示すフローチャートである。図１３に示すように、プレビューモードのサブルーチンでは、先ず、制御部１７０は、原稿の読み取りを開始するが（Ｓ２１）、このとき、ユーザーによりキャンセルキー１２２ｂが押下されずに（Ｓ２２：Ｎｏ）、原稿の読み取りが完了するまで（Ｓ２３：Ｎｏ）、Ｓ２１〜Ｓ２３の処理を行い、キャンセルキー１２２ｂが押下されると（Ｓ２２：Ｙｅｓ）、原稿の読み取りを中止し（Ｓ２４）、図１１に示すＳ６に戻る。ここまでは通常モードと同様である。一方、制御部１７０は、原稿の読み取りが完了すると（Ｓ２３：Ｙｅｓ）、プレビュー画像表示を行い（Ｓ２５）、ユーザーによりキャンセルキー１２２ｂが押下されずに（Ｓ２６：Ｎｏ）、ユーザーによりジョブ実行キー１２２ａが押下されるまで（Ｓ２７：Ｎｏ）、Ｓ２５〜Ｓ２７の処理を行い、キャンセルキー１２２ｂが押下されると（Ｓ２６：Ｙｅｓ）、図１１に示すＳ６に戻る。一方、制御部１７０は、ジョブ実行キー１２２ａが押下されると（Ｓ２７：Ｙｅｓ）、ジョブ開始信号をオンし（Ｓ２８）、図１１に示すＳ６に戻る。
【００６５】
＜大量原稿読取モードのサブルーチン＞
図１４は、大量原稿読取モードのサブルーチンを示すフローチャートである。図１４に示すように、大量原稿読取モードのサブルーチンでは、先ず、制御部１７０は、原稿の読み取りを開始するが（Ｓ３１）、このとき、ユーザーによりキャンセルキー１２２ｂが押下されずに（Ｓ３２：Ｎｏ）、原稿の読み取りが完了するまで（Ｓ３３：Ｎｏ）、Ｓ３１〜Ｓ３３の処理を行い、キャンセルキー１２２ｂが押下されると（Ｓ３２：Ｙｅｓ）、原稿の読み取りを中止し（Ｓ３４）、図１１に示すＳ６に戻る。ここまでは通常モードと同様である。一方、制御部１７０は、原稿の読み取りが完了すると（Ｓ３３：Ｙｅｓ）、ユーザーにより原稿読取終了キー１２２ｃが押下（オン）されるか（Ｓ３５：Ｎｏ）、さらにはジョブ実行キー１２２ａが押下されるまで（Ｓ３６：Ｎｏ）、Ｓ３５〜Ｓ３６の処理を行う。このとき、制御部１７０は、“原稿の読み取りを続ける場合には「ジョブ実行キー」を押下し、読み取りを終了する場合には、「原稿読取終了キー」を押下して下さい”といったメッセージを表示部１２２に表示すると共に、ジョブ実行キー１２２ａ及び原稿読取終了キー１２２ｃを入力操作可能に表示部１２２に表示する。制御部１７０は、ジョブ実行キー１２２ａが押下されると（Ｓ３６：Ｙｅｓ）、Ｓ３１に移行する。一方、制御部１７０は、原稿読取終了キー１２２ｃが押下されると（Ｓ３５：Ｙｅｓ）、ジョブ開始信号をオンし（Ｓ３７）、図１１に示すＳ６に戻る。
【００６６】
＜次ジョブ動作のサブルーチン＞
図１５は、次ジョブ動作のサブルーチンを示すフローチャートである。図１５に示すように、次ジョブ動作のサブルーチンでは、先ず、制御部１７０は、光源１８０の点灯パターンの点灯が完了すると（Ｓ４１：Ｙｅｓ）、図１１に示すＳ６に戻るが、光源１８０の点灯パターンが完了していないときに（Ｓ４１：Ｎｏ、Ｓ４２：Ｎｏ）、次のジョブが開始すると（Ｓ４２：Ｙｅｓ）、載置原稿読取機能（原稿載置台１３０ａに載置された原稿の読み取り）が実行されたか否か（載置原稿読取機能のジョブ実行キー１２２ａが押下されたか否か）を判断する（Ｓ４３）。次に、制御部１７０は、載置原稿読取機能が実行された場合には（Ｓ４３：Ｙｅｓ）、載置原稿読取機能が終了するまで（Ｓ４５：Ｎｏ）、光源１８０の点灯パターンの点灯を維持し（Ｓ４４、Ｓ４５：Ｎｏ）、載置原稿読取機能が終了すると（Ｓ４５：Ｙｅｓ）、Ｓ４１に移行する。一方、制御部１７０は、載置原稿読取機能が実行されていない場合には（Ｓ４３：Ｎｏ）、光源１８０の点灯パターンの点灯を終了し（Ｓ４６）、図１１に示すＳ６に戻る。
【００６７】
（第１実施形態）
第１実施形態において、制御部１７０は、大量原稿読取機能を実行している場合において、複数回の読み取り動作のうち最終回の読み取り動作で最後に読み取った最終原稿の読み取り後を判定する。こうすることで、大量原稿読取機能を実行している場合においても、最終原稿を読み取ったか否かを確実に認識した状態で、報知部（光源１８０）にて原稿の取り忘れをユーザーに報知する（光源１８０の点灯により知らせる）ことができる。
【００６８】
（第２実施形態）
第２実施形態において、制御部１７０は、最終原稿の読み取り後を判定し、かつ、原稿が原稿排出トレイ１６２に排出されていることを原稿排出検知部１９２にて検出したときに報知部（光源１８０）を作動（点灯）させる。こうすることで、最終原稿を読み取ったか否かを確実に認識した状態で、原稿排出トレイ１６２に排出された原稿の取り忘れをユーザーに報知することができる。
【００６９】
（第３実施形態）
第３実施形態において、制御部１７０、プレビュー機能を実行している場合において、ジョブの実行キーをオンしたときに（光源１８０）を作動（点灯）させる。こうすることで、プレビュー機能を実行する場合においても原稿の取り忘れをユーザーに報知することができる。
【００７０】
（第４実施形態）
第４実施形態において、制御部１７０は、原稿の読み取り中にキャンセルキー１２２ｂをオンしたときに（光源１８０）を作動（点灯）させる。こうすることで、原稿の読み取り中にキャンセルキー１２２ｂをオンしたときでも原稿の取り忘れをユーザーに報知することができる。
【００７１】
（第５実施形態）
第５実施形態において、制御部１７０は、ジョブを終了した後、報知部（光源１８０）を作動（点灯）させているときに、次のジョブが開始されると、報知部（光源１８０）の作動（点灯）を終了する。こうすることで、次のジョブの開始により、現在のジョブの原稿の取り忘れのユーザーへの報知を終了することができ、その状態で次のジョブでの原稿の取り忘れをユーザーに報知することができる。
【００７２】
（第６実施形態）
第６実施形態において、制御部１７０は、ジョブを終了した後、報知部（光源１８０）を作動（点灯）させているときに、載置原稿読取機能を実行すると、報知部（光源１８０）の作動（点灯）を維持する。こうすることで、載置原稿読取機能の実行中において、原稿搬送装置１６０により搬送される複数枚の原稿を読み取る搬送原稿読取機能での原稿の取り忘れの報知部（光源１８０）の作動（点灯）を維持することができる。これにより、搬送原稿読取機能の次に載置原稿読取機能を実行しても、搬送原稿読取機能での原稿の取り忘れをユーザーに報知することができる。
【００７３】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００７４】
１００    画像形成装置
１０１    画像形成装置本体
１０２    画像読取装置
１０３    操作部
１１０    画像形成部
１２０    操作装置
１２２    表示部
１２２ａ  ジョブ実行キー
１２２ｂ  キャンセルキー
１２２ｃ  原稿読取終了キー
１３０    画像読取部
１３０ａ  原稿載置台
１３０ｂ  原稿読取部
１３０ｃ  走査光学系
１６０    原稿搬送装置
１６１    原稿載置トレイ
１６２    原稿排出トレイ
１７０    制御部
１７１    処理部
１７１ａ  判定部
１７２    記憶部
１８０    光源
１９１    原稿載置検知部
１９２    原稿排出検知部
Ｇ        原稿
Ｈ        排出方向
ＳＲ      照射範囲
Ｘ        横方向
Ｙ        幅方向
Ｚ        高さ方向
【図１】
2020080448.tif 000003
【図２】
2020080448.tif 000004
【図３】
2020080448.tif 000005
【図４】
2020080448.tif 000006
【図５】
2020080448.tif 000007
【図６】
2020080448.tif 000008
【図７】
2020080448.tif 000009
【図８】
2020080448.tif 000010
【図９】
2020080448.tif 000011
【図１０】
2020080448.tif 000012
【図１１】
2020080448.tif 000013
【図１２】
2020080448.tif 000014
【図１３】
2020080448.tif 000015
【図１４】
2020080448.tif 000016
【図１５】
2020080448.tif 000017